(57)【要約】【課題】個人化されたコンテンツサービスを提供できるコンテンツ提供方法およびそれを実行するためのシステムを提供する。【解決手段】本発明のカラーマーカー認識装置は色相部およびコンテンツ部を含む。前記色相部はユーザと関わりのある関連情報に応じてカラーマーカー映像からサブマーカー映像を獲得する。前記コンテンツ部は前記色相部によって獲得したサブマーカー映像に該当する第１コンテンツのディスプレイを要請する第１コンテンツ要請信号を出力する。前記カラーマーカー認識装置がカラーマーカーを用いるため、個人化されたコンテンツサービスを提供することができる。【選択図】図１
2008178110.tif 000002
【特許請求の範囲】
【請求項１】
ユーザと関わりのある関連情報に応じてカラーマーカー映像からサブマーカー映像を獲得する色相部；および
前記色相部によって獲得したサブマーカー映像に該当する第１コンテンツのディスプレイを要請する第１コンテンツ要請信号を出力するコンテンツ部を含むことを特徴とするカラーマーカー認識装置。
【請求項２】
前記カラーマーカー認識装置は、
前記カラーマーカー映像を収集し、前記収集したカラーマーカー映像を前記色相部に伝送する映像収集部；および
前記第１コンテンツを表示するコンテンツ再現部をさらに含むことを特徴とする、請求項１に記載のカラーマーカー認識装置。
【請求項３】
前記カラーマーカー認識装置は、
前記コンテンツ再現部で表示された第１コンテンツの変更を要請する入力情報を前記コンテンツ部に提供する入力部をさらに含み、
前記コンテンツ部は、前記提供された入力情報に応じて前記第１コンテンツとは異なる第２コンテンツを表示するように第２コンテンツ要請信号を出力することを特徴とする、請求項２に記載のカラーマーカー認識装置。
【請求項４】
前記色相部は、
前記映像収集部から前記カラーマーカー映像を受信し、前記関連情報に応じて前記受信したカラーマーカー映像から所定の色相を選択する色相選択部；および
前記映像収集部から前記カラーマーカー映像を受信し、前記受信したカラーマーカー映像から前記色相選択部によって選択された色相に該当するサブマーカー映像を獲得し、前記獲得したサブマーカー映像を前記コンテンツ部に伝送する色相分離部を含むことを特徴とする、請求項２に記載のカラーマーカー認識装置。
【請求項５】
前記コンテンツ部は、
前記色相部から受信した前記サブマーカー映像を認識し、前記認識結果に関する情報を有するマーカー信号を出力するマーカー認識部；および
前記マーカー認識部から出力されたマーカー信号を分析し、前記分析結果に応じて前記第１コンテンツ要請信号を出力するコンテンツ要請部を含むことを特徴とする、請求項１に記載のカラーマーカー認識装置。
【請求項６】
前記カラーマーカー認識装置は、
前記関連情報を格納するメモリをさらに含むことを特徴とする、請求項１に記載のカラーマーカー認識装置。
【請求項７】
前記カラーマーカー映像は、
マーカーフレーム；および
前記マーカーフレームの内部に配列された少なくとも１つの図形からなり、
前記図形は１つ以上の色からなることを特徴とする、請求項１に記載のカラーマーカー認識装置。
【請求項８】
少なくとも１つのコンテンツを格納するコンテンツ格納部；および
前記コンテンツ格納部に格納されたコンテンツのうち、第１コンテンツ要請信号に該当する第１コンテンツを選択するコンテンツ個人化部を含み、
前記第１コンテンツ要請信号は、ユーザと関わりのある関連情報に応じてカラーマーカー映像から獲得したサブマーカー映像に関する情報を有する信号であることを特徴とするカラーマーカーを用いたコンテンツサーバ。
【請求項９】
前記コンテンツ個人化部は、前記選択した第１コンテンツを前記ユーザに合わせて変換して第２コンテンツを生成し、前記生成した第２コンテンツを含むコンテンツ信号を出力することを特徴とする、請求項８に記載のカラーマーカーを用いたコンテンツサーバ。
【請求項１０】
前記コンテンツ個人化部は、前記選択した第１コンテンツを有するコンテンツ信号を生成し、前記生成したコンテンツ信号を出力することを特徴とする、請求項８に記載のカラーマーカーを用いたコンテンツサーバ。
【請求項１１】
前記第１コンテンツ要請信号は前記コンテンツサーバに関する位置情報を含むことを特徴とする、請求項８に記載のカラーマーカーを用いたコンテンツサーバ。
【請求項１２】
前記コンテンツ個人化部は、第２コンテンツ要請信号に応じて前記第１コンテンツとは異なる第２コンテンツを含む第２コンテンツ信号を出力し、
前記第２コンテンツ要請信号は、前記第１コンテンツの変更を要請する情報を含む信号であることを特徴とする、請求項８に記載のカラーマーカーを用いたコンテンツサーバ。
【請求項１３】
前記関連情報は、前記コンテンツサーバとは異なる外部装置に格納されていることを特徴とする、請求項８に記載のカラーマーカーを用いたコンテンツサーバ。
【請求項１４】
カラーマーカー映像を収集するステップ；
ユーザと関わりのある関連情報に応じて、前記収集したカラーマーカー映像から前記ユーザに該当するサブマーカー映像を獲得するステップ；および
前記獲得したサブマーカー映像に該当する第１コンテンツを表示するステップを含むことを特徴とするカラーマーカーを用いたコンテンツ提供方法。
【請求項１５】
前記サブマーカー映像を獲得するステップは、
前記関連情報に応じて前記収集したカラーマーカー映像から所定の色相を選択するステップ；および
前記選択した色相に該当するサブマーカー映像を前記収集したカラーマーカー映像から分離して獲得するステップを含むことを特徴とする、請求項１４に記載のカラーマーカーを用いたコンテンツ提供方法。
【請求項１６】
前記第１コンテンツを表示するステップは、
前記獲得したサブマーカー映像を認識するステップ；
前記認識結果に応じて前記コンテンツのディスプレイを要請するステップ；および
前記要請に応じて前記ユーザおよび前記サブマーカー映像に該当する前記第１コンテンツを表示するステップを含むことを特徴とする、請求項１４に記載のカラーマーカーを用いたコンテンツ提供方法。
【請求項１７】
前記コンテンツ提供方法は、
前記表示された第１コンテンツとは異なる第２コンテンツのディスプレイを要請するステップ；および
前記要請に応じて前記第２コンテンツを表示するステップをさらに含むことを特徴とする、請求項１４に記載のカラーマーカーを用いたコンテンツ提供方法。
【発明の詳細な説明】
【技術分野】
【０００１】
本発明は、コンテンツ提供方法およびそれを実行するためのシステムに関し、より詳しくは、カラーマーカーを用いたコンテンツ提供方法およびそれを実行するためのシステムに関するものである。
【背景技術】
【０００２】
既存の拡張現実分野ではコンテンツを提供するために白黒マーカーを主に用いており、それ故に従来のコンテンツ提供システムは、白黒マーカーの特性上、多くの人々に個別的なコンテンツサービスを提供することができなかった。すなわち、前記コンテンツ提供システムは、ユーザ個人別に特性化されたサービスを提供することができず、ユーザの年令などといった単なる要素だけを考慮して不特定多数を対象に画一的なサービスだけを提供したものである。しかし、最近になって個人化された拡張現実サービスの重要性が台頭しており、従来のコンテンツ提供方法およびシステムはもはや拡張現実分野において適していない方式となった。
【発明の開示】
【発明が解決しようとする課題】
【０００３】
本発明は、個人化されたコンテンツサービスを提供できるコンテンツ提供方法およびそれを実行するためのシステムを提供することをその目的とする。
【課題を解決するための手段】
【０００４】
上記のような目的を達成するために、本発明の望ましい一実施形態に係るカラーマーカー認識装置は色相部およびコンテンツ部を含む。前記色相部はユーザと関わりのある関連情報に応じてカラーマーカー映像からサブマーカー映像を獲得する。前記コンテンツ部は前記色相部によって獲得したサブマーカー映像に該当する第１コンテンツのディスプレイを要請する第１コンテンツ要請信号を出力する。
【０００５】
本発明の望ましい一実施形態に係るコンテンツサーバはコンテンツ格納部およびコンテンツ個人化部を含む。前記コンテンツ格納部は少なくとも１つのコンテンツを格納する。前記コンテンツ個人化部は、前記コンテンツ格納部に格納されたコンテンツのうち、第１コンテンツ要請信号に該当する第１コンテンツを選択する。ここで、前記コンテンツ要請信号はユーザと関わりのある関連情報に応じてカラーマーカー映像から獲得したサブマーカー映像に関する情報を有する。
【０００６】
本発明の望ましい一実施形態に係るコンテンツ提供方法は、カラーマーカー映像を収集するステップ；ユーザと関わりのある関連情報に応じて、前記収集したカラーマーカー映像から前記ユーザに該当するサブマーカー映像を獲得するステップ；および前記獲得したサブマーカー映像に該当する第１コンテンツを表示するステップを含む。
【発明の効果】
【０００７】
本発明に係るコンテンツ提供方法およびそれを実行するためのシステムは、カラーマーカーを用いるため、ユーザに個人化されたコンテンツサービスを提供することができる長所がある。
【０００８】
また、本発明に係るコンテンツ提供方法およびそれを実行するためのシステムは、カラーマーカーで設定されたコンテンツを他のコンテンツに変更することができるため、１つのカラーマーカーを用いて様々なコンテンツサービスを提供することができる長所がある。
【発明を実施するための最良の形態】
【０００９】
以下、添付図面を参照して本発明の望ましい実施形態について詳しく説明する。
図１は本発明の望ましい一実施形態に係るカラーマーカーを用いたコンテンツ提供システムを示すブロック図であり、図２ａおよび図２ｂは本発明の望ましい一実施形態に係るカラーマーカーを示す平面図である。
【００１０】
図１に示すように、本発明のコンテンツ提供システムは、カラーマーカー認識装置１００、コンテンツサーバ１０２、およびディスプレイ素子１０４を含む。
【００１１】
以下、カラーマーカーについて説明する後に本発明のコンテンツ提供システムの構成要素について詳しく説明する。
図２ａおよび図２ｂに示すように、カラーマーカー（２００および２３０）は、カラーマーカーフレーム（２１０および２３２）、およびカラーマーカーフレーム（２１０および２３２）の内部に配列された少なくとも１つの図形（２１２，２１４，２１６，および２３４）からなっている。
【００１２】
カラーマーカーフレーム（２１０および２３２）は、カラーマーカー（２００および２３０）の外部の色相、すなわち地色からカラーマーカー（２００および２３０）を区別させ、図２ａおよび図２ｂに示すように様々な模様を有し得る。
【００１３】
各図形（２１２，２１４，２１６,および２３４）は特定模様に制限されることなく様々な模様を有し得、図２ａに示すように全体的に１つの色相を有することもでき、図２ｂに示すように各部分（２３６ａ，２３６ｂ，２３８，２４０，および２４２）別に異なる色相を有することもできる。すなわち、各図形（２１２，２１４，２１６，および２３４）は１つ以上の色相からなっている。
【００１４】
次に、上記カラーマーカー（２００および２３０）に基づいてコンテンツ提供システムの構成要素の動作について詳述する。
カラーマーカー認識装置１００は、外部物体、例えば運動器具などに付いているカラーマーカー（２００および２３０）を認識することができる装置であり、優先的にカラーマーカー（２００および２３０）を撮影してカラーマーカー映像ＭＩを収集する。次に、カラーマーカー認識装置１００は、前記収集したカラーマーカー映像ＭＩからカラーマーカー認識装置１００を使うユーザに該当するサブマーカー映像ＳＭＩを獲得し、前記獲得したサブマーカー映像ＳＭＩに該当する第１コンテンツの提供を要請するコンテンツ要請信号ＣＴＤＳをコンテンツサーバ１０２に伝送する。ここで、コンテンツ要請信号ＣＴＤＳは、サブマーカー映像ＳＭＩに関する情報のみならず、コンテンツサーバ１０２の位置情報も含むことができる。
【００１５】
本発明の一実施形態によれば、カラーマーカー認識装置１００はカメラのような映像収集装置が付いている移動通信端末機である。
コンテンツサーバ１０２は、カラーマーカー認識装置１００とは所定の通信ネットワークで接続され、コンテンツ格納部１２８およびコンテンツ個人化部１３０を含む。ここで、前記通信ネットワークには特に制限はなく、既に存在するすべてのネットワークが用いられ得る。
【００１６】
コンテンツ格納部１２８は、各種コンテンツを格納し、カラーマーカー認識装置１００から受信したコンテンツ要請信号ＣＴＤＳに応じて、前記格納されたコンテンツのうちの前記サブマーカー映像ＳＭＩに該当する第２コンテンツを選択する。
【００１７】
コンテンツ個人化部１３０は、コンテンツ格納部１２８によって選択された第２コンテンツを前記ユーザが所望する第１コンテンツに変換して、前記第１コンテンツを有するコンテンツ信号ＣＴＳを出力する。ここで、前記出力されたコンテンツ信号ＣＴＳはカラーマーカー認識装置１００またはディスプレイ素子１０４に伝送される。
【００１８】
カラーマーカー認識装置１００またはディスプレイ素子１０４は、前記コンテンツ信号ＣＴＳに含まれた前記第１コンテンツを表示し、ユーザに適合した個人化されたコンテンツサービスを提供する。それについては以下にて添付図面を参照して詳しく説明する。
【００１９】
上記ではコンテンツサーバ１０２が前記第２コンテンツを前記第１コンテンツに変換させたが、上記の変換過程なしにコンテンツ要請信号ＣＴＤＳに応じてコンテンツ格納部１２８に格納されたコンテンツから前記第１コンテンツを直接選択して出力することもできる。
【００２０】
以下、カラーマーカー認識装置１００の構成要素について詳しく説明する。
図１を再び参照すれば、カラーマーカー認識装置１００は、映像収集部１１０、色相部１１２、コンテンツ部１１４、コンテンツ再現部１１６、および制御部１１８を含む。
【００２１】
映像収集部１１０は、外部からカラーマーカー（２００および２３０）を撮影してカラーマーカー映像ＭＩを収集し、前記収集したカラーマーカー映像ＭＩを色相部１１２に伝送する。
色相部１１２は色相選択部１２０および色相分離部１２２を含む。
【００２２】
色相選択部１２０は、映像収集部１１０からはカラーマーカー映像ＭＩを受信し、関連情報格納装置１０６からはカラーマーカー認識装置１００のユーザと関わりのある関連情報を受信する。その後、色相選択部１２０は、前記受信した関連情報に応じてカラーマーカー映像ＭＩの色相のうち、前記ユーザに相応する１つまたは複数の色相を選択して、前記色相選択の結果を色相分離部１２２に提供する。ここで、前記関連情報は、ユーザの好みおよび身体情報などに関わる情報であって、関連情報格納装置１０６に既に格納されているか前記ユーザの体に付いているセンサ等を介して直接抽出され得る。本発明の他の実施形態によれば、前記関連情報は、関連情報格納装置１０６から受信されず、カラーマーカー認識装置１００のメモリ（図示せず）に既に格納され得る。このような関連情報は、映像収集部１１０の映像収集過程に同期して色相選択部１２０に伝送される。
【００２３】
色相分離部１２２は、色相選択部１２０から提供された色相選択結果に応じて、カラーマーカー映像ＭＩのうちの前記選択した色相を有する図形を分離して特定サブマーカー映像ＳＭＩを獲得する。例えば、色相分離部１２２は、図２ａに示すように、カラーマーカー映像ＭＩから分離できるサブマーカー映像（２０２ａ〜２０２ｄ）のうち、前記選択した色相に該当するサブマーカー映像（ＳＭＩ、例えば、２０２ａ）を獲得する。
【００２４】
コンテンツ部１１４はマーカー認識部１２４およびコンテンツ要請部１２６を含む。
マーカー認識部１２４は、テンプレートマッチングなどのような特定マッチング方法を用いて、色相分離部１２２から受信したサブマーカー映像ＳＭＩがいかなるコンテンツに該当するかを認識し、前記認識結果を有するマーカー信号ＭＳをコンテンツ要請部１２６に伝送する。
【００２５】
コンテンツ要請部１２６は、マーカー認識部１２４から受信したマーカー信号ＭＳに応じて、サブマーカー映像ＳＭＩに該当するコンテンツの伝送を要請するコンテンツ要請信号ＣＴＤＳをコンテンツサーバ１０２に伝送する。この場合、コンテンツ要請部１２６は、マーカー信号ＭＳに応じてコンテンツサーバ１０２の位置情報を検出し、コンテンツ要請信号ＣＴＤＳに前記位置情報を含めてコンテンツサーバ１０２に伝送する。ここで、コンテンツサーバ１０２の位置情報は、カラーマーカー認識装置１００内に格納され得るし、外部装置（図示せず）からカラーマーカー認識装置１００に提供され得る。
【００２６】
コンテンツ再現部１１６は、コンテンツサーバ１０２から受信したコンテンツ信号ＣＴＳに含まれた第１コンテンツを前記ユーザに表示する。
制御部１１８は、制御信号（ＣＳ１〜ＣＳ４）を用いてカラーマーカー認識装置１００の構成要素の動作を全般的に制御する。
【００２７】
上記では映像収集部１１０がカラーマーカー認識装置１００の１つの構成要素として言及したが、映像収集部１１０がカラーマーカー認識装置１００とは別途の装置として実現され、映像収集部１１０によって収集した映像が所定のネットワークを介してカラーマーカー認識装置１００に伝送され得る。
【００２８】
以下、このようなコンテンツ提供システムの動作過程について図３を参照して詳しく説明する。
図３は、本発明の望ましい一実施形態に係るコンテンツ提供システムの動作過程を示すフローチャートである。但し、以下では、運動器具を使うユーザに適切な運動プログラムを提供するサービスを例に挙げてコンテツ提供システムの動作過程を説明する。
【００２９】
図３に示すように、映像収集部１１０は前記運動器具に付いているカラーマーカーを撮影してカラーマーカー映像を収集する（Ｓ３００）。
次に、色相選択部１２０はユーザの関連情報に応じて、前記収集したカラーマーカー映像から前記ユーザに該当する色相を選択する（Ｓ３０２）。ここで、前記関連情報は、例えば、前記ユーザの性別、年齢、および体格の程度などのユーザの身体情報を含む。
【００３０】
次に、色相分離部１１２は前記収集したカラーマーカー映像から前記選択した色相に該当するサブマーカー映像を分離して獲得する（Ｓ３０４）。すなわち、色相分離部１１２は、前記ユーザの身体情報に応じて前記ユーザに適切な運動方法を薦めるように、前記適切な運動方法に相応するサブマーカー映像を獲得する。
【００３１】
その次、コンテンツ部１１４は前記獲得したサブマーカー映像に該当するコンテンツを要請するコンテンツ要請信号を出力し、コンテンツサーバ１０２は前記コンテンツ要請信号に応じて前記サブマーカー映像に該当するコンテンツを有するコンテンツ信号を出力する（Ｓ３０６）。すなわち、コンテンツサーバ１０２は前記ユーザに適した運動方法に関するコンテンツを有するコンテンツ信号を出力する。
【００３２】
次に、ディスプレイ素子１０４またはコンテンツ再現部１１６は、前記出力されたコンテンツ信号に含まれたコンテンツを前記ユーザに表示する。例えば、前記ユーザが５０代、身長１７０ｃｍ、体重７０ｋｇで、体脂肪が過剰に蓄積した状態である場合、ディスプレイ素子１０４またはコンテンツ再現部１１６は、体脂肪を減らせるように７ｋｍ速度で１５分、５ｋｍ速度で２０分間ランニングした後、２０ｋｇ重量の重量物で１０回ずつ３回繰り返し運動し、その後上体起こしを２０回実施する動画を前記ユーザに表示する。その結果、ユーザは前記動画に従って運動することができ、さらにユーザは他人の手助けがなくても自身に適した運動を実施することができる。
【００３３】
要するに、本発明のコンテンツ提供システムは、少数の人々に関する情報だけを表わすことができた白黒マーカーの代わりに、色相の変化を通じて多くの人々に関する情報を表わすことができるカラーマーカーを用いる。したがって、本発明のコンテンツ提供システムは、従来のシステムとは異なり、多くの人々にとって自分に適合したコンテンツを提供することができ、すなわち各ユーザに個人化されたサービスを提供することができる。
【００３４】
図４は、本発明の望ましい他の実施形態に係るコンテンツ提供システムを示すブロック図である。
図４に示すように、本実施形態のコンテンツ提供システムは、カラーマーカー認識装置４００、コンテンツサーバ４０２、およびディスプレイ素子４０４を含む。
【００３５】
カラーマーカー認識装置４００は、映像収集部４１０、色相部４１２、コンテンツ部４１４、入力部４１６、コンテンツ再現部４１８、および制御部４２０を含む。
【００３６】
映像収集部４１０は、カラーマーカー映像ＭＩを収集し、前記収集したカラーマーカー映像ＭＩを色相部４１２に伝送する。
色相部４１２は、ユーザの関連情報に応じて前記収集したカラーマーカー映像ＭＩから前記ユーザに該当するサブマーカー映像ＳＭＩを分離し、分離したサブマーカー映像ＳＭＩをコンテンツ部４１４に伝送する。
【００３７】
コンテンツ部４１４は、色相部４１２から受信したサブマーカー映像ＳＭＩに関するコンテンツの伝送を要請する第１コンテンツ要請信号（第１  ＣＴＤＳ）をコンテンツサーバ４０２に伝送する。
【００３８】
コンテンツサーバ４０２は、コンテンツ部４１４から受信した第１コンテンツ要請信号（第１  ＣＴＤＳ）に応じて、サブマーカー映像ＳＭＩに該当する第１コンテンツを含む第１コンテンツ信号（第１  ＣＴＳ）をコンテンツ再現部４１８に伝送する。
【００３９】
コンテンツ再現部４１８は第１コンテンツ信号（第１  ＣＴＳ）に含まれた第１コンテンツを表示する。この場合、ユーザは前記表示された第１コンテンツを見た後、前記第１コンテンツとは異なるコンテンツを望む場合がある。例えば、ユーザが普段はハンバーガーを食べるが当日はピザを食べたいと思うときがある。この場合、ユーザがメニューに付いているカラーマーカーを撮影する時、ハンバーガーに該当する第１コンテンツが表示されるため、ユーザは前記第１コンテンツをピザに該当するコンテンツに変更しなければならない。
【００４０】
このようなコンテンツの変更のために、入力部４１６は前記第１コンテンツを他のコンテンツに変更するように要請する入力情報をコンテンツ部４１４に入力する。
コンテンツ部４１４は前記入力された入力情報に応じて第２コンテンツ要請信号（第２  ＣＴＤＳ）をコンテンツサーバ４０２に伝送する。
【００４１】
コンテンツサーバ４０２は、前記受信した第２コンテンツ要請信号（第２  ＣＴＤＳ）に応じて、前記第１コンテンツとは異なる第２コンテンツを含む第２コンテンツ信号（第２  ＣＴＳ）をディスプレイ素子４０４に伝送する。
【００４２】
ディスプレイ素子４０４は前記受信した第２コンテンツ信号（第２  ＣＴＳ）に含まれた第２コンテンツを表示する。すなわち、前記第２コンテンツに該当するピザが販売者端末機のディスプレイ素子４０４にて注文され得る。
要するに、本実施形態のコンテンツ提供システムはユーザが予め設定されたコンテンツの変更を望むときに有用である。
【００４３】
上記の本発明の望ましい実施形態は例示するために開示したものであり、本発明に対する通常の知識を有する当業者であれば、本発明の思想や範囲内で多様な修正、変更、及び附加が可能であり、このような修正、変更、および附加は特許請求の範囲に属すると理解しなければならない。
【図面の簡単な説明】
【００４４】
【図１】本発明の望ましい一実施形態に係るカラーマーカーを用いたコンテンツ提供システムを示すブロック図である。
【図２ａ】本発明の望ましい一実施形態に係るカラーマーカーを示す平面図である。
【図２ｂ】本発明の望ましい一実施形態に係るカラーマーカーを示す平面図である。
【図３】本発明の望ましい一実施形態に係るコンテンツ提供システムの動作過程を示すフローチャートである。
【図４】本発明の望ましい他の実施形態に係るコンテンツ提供システムを示すブロック図である。
【符号の説明】
【００４５】
１００：カラーマーカー認識装置
１０２：コンテンツサーバ
１０４：ディスプレイ素子
１０６：関連情報格納装置
１１０：映像収集部
１１２：色相部
１１４：コンテンツ部
１１６：コンテンツ再現部
１１８：制御部
１２０：色相選択部
１２２：色相分離部
１２４：マーカー認識部
１２６：コンテンツ要請部
１２８：コンテンツ格納部
１３０：コンテンツ個人化部
【図１】
2008178110.tif 000003
【図２ａ】
2008178110.tif 000004
【図２ｂ】
2008178110.tif 000005
【図３】
2008178110.tif 000006
【図４】
2008178110.tif 000007